Podtech/llm-jp-corpus-v4-ja_patent huggingface dataset:
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
自己注射器アセンブリであって、
液状薬剤を収容する略円筒形状のチャンバを規定する薬剤容器であって、前記チャンバの近位端が円筒形状の前記チャンバ内に摺動可能に配置されたピストンによって閉鎖され、前記チャンバの遠位端が前記薬剤容器の遠位端の開口部にかかる容器封止によって閉鎖された薬剤容器と、
前記容器封止は、貫通可能な隔壁であり、
前記ピストンに連結され、前記ピストンを前記容器封止に向って付勢するよう作用し、これによって前記液状薬剤を加圧する付勢手段と、
前記液状薬剤を非経口投与するための皮下注射針と、
前記皮下注射針を使用まで無菌状態に維持する取り外し可能な針キャップと、
流体連結が形成されると前記皮下注射針を経由して前記加圧された液状薬剤が自動的に送達されるよう、前記チャンバと前記皮下注射針との間に流体連結を形成する手段とを備え、
前記流体連結を形成する手段は、孔を規定する弁筐体と前記孔内で摺動可能に保持されるシャトルとを備える弁であり、前記弁筐体は、前記貫通可能な隔壁が前記孔の近位端に位置するように前記容器の前記遠位端に連結され、前記シャトルは、前記シャトルが前記孔の前記近位端に向って移動すると前記貫通可能な隔壁を貫通して前記チャンバと前記皮下注射針との間に流体連結を形成する貫通要素を含み、
前記液状薬剤は、加圧されて保存されることを特徴とする自己注射器アセンブリ。
【請求項２】
前記貫通要素は、前記シャトルの近位面から延び、前記皮下注射針と流体連結された中空針である、請求項１に記載の自己注射器アセンブリ。
【請求項３】
前記皮下注射針は、前記シャトルの遠位面から延びる、請求項２に記載の自己注射器アセンブリ。
【請求項４】
前記貫通要素及び前記皮下注射針は、前記シャトルによって位置決めされる両頭針の両端によって形成される、請求項１、請求項２、又は請求項３に記載の自己注射器アセンブリ。
【請求項５】
前記弁筐体は、前記貫通要素が使用まで無菌状態に維持されるように前記容器に封止連結される、請求項１から請求項４に記載の自己注射器アセンブリ。
【請求項６】
前記容器封止は、金属圧着部によって前記薬剤容器の遠位端の前記開口部に連結された高分子隔壁であり、前記弁筐体は前記金属圧着部の外径方向表面に封止連結される、請求項５に記載の自己注射器アセンブリ。
【請求項７】
前記薬剤容器は、スタンダードなプレフィルドカートリッジ又はプレフィルドシリンジであり、前記容器封止は、金属圧着部により取り付けられた弾性封止である、請求項１から請求項６までのいずれか１項に記載の自己注射器アセンブリ。
【請求項８】
前記容器封止は、前記容器の前記遠位端の前記開口部にかかる弾性隔壁を備え、前記弾性隔壁は、前記弾性隔壁によって保持される摺動可能なバルブ軸の近位端によって封止される貫通孔を規定し、前記バルブ軸は前記皮下注射針と連通するバルブ軸チャネルを規定し、前記流体連結を形成する手段は、孔を規定する弁筐体と前記孔内で摺動可能に保持されるシャトルとを備える弁であり、前記弁筐体は、前記弾性隔壁が前記孔の近位端に位置するように前記容器の前記遠位端に連結され、前記シャトルは、前記シャトルが前記孔の前記近位端に向って移動すると前記バルブ軸に規定されたクロスホールにより前記バルブ軸チャネルに液体が流入できるようにして前記チャンバと前記皮下注射針との間に流体連結を形成するよう前記バルブ軸を配置する、請求項１に記載の自己注射器アセンブリ。
【請求項９】
前記ピストンは、前記ピストンを前記容器封止に向って付勢するバネに連結される、請求項１から請求項８までのいずれか１項に記載の自己注射器アセンブリ。
【請求項１０】
）
前記薬剤容器の近位端を封止するキャップをさらに備え、前記バネは、前記キャップと前記ピストンとの間に保持されて前記ピストンを前記容器封止に向って付勢する力を加える、請求項９に記載の自己注射器アセンブリ。
【請求項１１】
前記キャップは、前記薬剤容器の前記チャンバを酸素及び／又は湿気に対して封止する、請求項１０に記載の自己注射器アセンブリ。
【請求項１２】
前記薬剤容器の近位部と係合するケーシングをさらに備え、前記バネは、前記ケーシングの一部と前記ピストンとの間に保持されて前記ピストンを前記容器封止に向って付勢する力を加える、請求項９に記載の自己注射器アセンブリ。
【請求項１３】
前記ケーシングは、前記薬剤容器の前記チャンバを酸素及び／又は湿気に対して封止する、請求項１２に記載の自己注射器アセンブリ。
【請求項１４】
前記ケーシングは、前記薬剤容器を見るための窓を備える、請求項１２又は請求項１３に記載の自己注射器アセンブリ。
【請求項１５】
前記チャンバと前記皮下注射針との間に前記流体連結を形成する手段は、１本の柔軟性のあるチューブを含む、請求項１、請求項２に記載の、又は、請求項３又は請求項４に従属しない場合の請求項５から請求項１４に記載の自己注射器アセンブリ。
【請求項１６】
前記取り外し可能な針キャップは、前記皮下注射針に接触しないよう配置される、請求項１から請求項１５までのいずれか１項に記載の自己注射器アセンブリ。
【請求項１７】
請求項１から請求項１６までのいずれか１項に記載の自己注射器アセンブリを製造する方法であって、
液状薬剤を薬剤容器に充填し、前記容器の遠位開口部に容器封止を取り付けることにより前記液状薬剤を前記容器内に封止し、前記液状薬剤を前記薬剤容器内に加圧下で保持するステップと、
前記液状薬剤と前記皮下注射針との間に流体連結を形成する手段を介して皮下注射針を前記容器に連結するステップと、
取り外し可能であり、前記皮下注射針を使用まで無菌状態に維持し、前記針とは接触しない針キャップにより、前記皮下注射針を保護するステップと、
前記貫通要素が使用まで無菌状態に維持されるように前記容器に前記弁筐体を封止するステップと、を含み、
各製造ステップは無菌環境下で実施される、自己注射器アセンブリを製造する方法。
【誤訳訂正書】
【提出日】平成29年8月24日(2017.8.24)
【誤訳訂正１】
【訂正対象書類名】明細書
【訂正対象項目名】００２２
【訂正方法】変更
【訂正の内容】
【００２２】
図１に示された実施形態では、コレクター１０５は、パターン１１０を備えている。パターン１１０は、コレクター１０５が実質的に矩形であるように、構造物１１２によって形成された、格子パターンである。他の実施形態では、コレクター１０５は、円形、楕円形、卵形、正方形、及び／又は三角形、又はこれらに限定されない、形状を、有してもよい。一実施形態では、構造物１１２は、リブ１１４、継ぎ目（seam）１１６、及び、ポリマーファイバーを受け及び／又は集めるように構成された表面部１１８を、含んでいる。一実施形態では、リブ１１４は、実質的に円筒形であり、５μｍ〜１００ｃｍの外周を有しており、継ぎ目１１６は、５μｍ〜１００ｃｍの厚さを有する実質的に矩形のものであり、表面部１１８は、リブ１１４及び／又は継ぎ目１１６の間に形成された、空の又は特徴空間（feature space）１１９を充填してなるものである。一実施形態では、表面部は、５μｍ〜１０ｃｍの厚さを有している。代表的な実施形態では、構造物１１２は、鋼鉄、アルミニウム、錫、銅、銀、金、プラチナ、及びそれらの合金又は混合物、又はこれらに限定されない、金属物質の少なくとも一部から、できている。一実施形態では、構造物１１２は、コレクター１０５に塗布されたコーティングを含んでいる。コーティングは、陽極酸化、化学コーティング、材料コーティング（導電性又は非導電性）、及び傾斜コーティング、又はこれらに限らないコーティングを、含む。傾斜コーティングは、ファイバーの連続傾斜（continuous gradients）を作り出すのを促進する。しかしながら、構造物１１２（例えば、リブ１１４、継ぎ目１１６、及び表面部１１８）は、どんな形状でもよく、また、ここで述べるようなパッチの製造を促進する、どんな材料から、作られてもよい。
【手続補正書】
【提出日】平成28年11月14日(2016.11.14)
【手続補正１】
【補正対象書類名】明細書
【補正対象項目名】００１５
【補正方法】変更
【補正の内容】
【００１５】
（発明の説明）
本発明は、エタノール供給原料のエチレンへの脱水方法であって、
ａ）  工程ｅ）からの流出物との熱交換によって１００〜１３０℃の温度に前記エタノール供給原料を予熱する工程と、
ｂ）  酸固体上で、１００〜１３０℃の温度で操作してエタノール供給原料を予備処理して、予備処理されたエタノール供給原料を生じさせる工程と、
ｃ）  前記予備処理されたエタノール供給原料と工程ｈ）によりリサイクルされた処理された水の流れの少なくとも一部とを含む気化供給原料を、交換器において、工程ｅ）の最後の反応器からの流出物との熱交換により気化させて、気化した供給原料を生じさせる工程であって、前記気化供給原料は、０．１〜１．４ＭＰａの圧力で前記気化工程に導入される、工程と、
ｄ）  圧縮機において前記気化した供給原料を圧縮して、圧縮された供給原料を生じさせる工程と、
ｅ）  少なくとも１種の脱水触媒を含有する少なくとも１基の断熱反応器において前記圧縮された供給原料を脱水する工程であって、該断熱反応器において、脱水反応が行われ、３５０〜５５０℃の入口温度および０．３〜１．８ＭＰａの入口圧力で操作する、工程と、
ｆ）  工程ｅ）の最後の断熱反応器からの流出物を、１．６ＭＰａ未満の圧力にあるエチレンを含む流出物と水を含む流出物とに分離する工程と、
ｇ）  工程ｆ）からの水を含む流出物の少なくとも一部を精製し、処理された水の少なくとも１つの流れと未転化エタノールの少なくとも１つの流れとを分離する工程と、
ｈ）  工程ｇ）からの処理された水の流れの少なくとも一部を工程ｃ）の上流にリサイクルさせる工程と
を含む、方法に関する。
【手続補正２】
【補正対象書類名】明細書
【補正対象項目名】００２６
【補正方法】変更
【補正の内容】
【００２６】
（予熱工程ａ））
本発明によると、エタノール供給原料は、熱交換器において予熱工程ａ）を経て、予熱されたエタノール供給原料を生じ、これは、脱水工程ｅ）からの流出物との熱交換により、要求される温度条件下に、予備処理工程ｂ）のために１００〜１３０℃、好ましくは１１０〜１３０℃とするものである。エタノール供給原料の圧力は、エタノール供給原料が予熱工程ａ）の終わりに依然として液体であるように、０．１〜３ＭＰａの値に調節される。
【手続補正３】
【補正対象書類名】明細書
【補正対象項目名】００２７
【補正方法】変更
【補正の内容】
【００２７】
（予備処理工程ｂ））
本発明によると、予熱されたエタノール供給原料は、予備処理工程ｂ）を経て、予備処理されたエタノール供給原料が生じる。前記予備処理工程により、下流に位置する脱水触媒の失活を制限するように前記予熱された供給原料に存在する窒素含有化合物を取り除くことが可能となる。
【手続補正４】
【補正対象書類名】明細書
【補正対象項目名】００５５
【補正方法】変更
【補正の内容】
【００５５】
それ故に、単一相ガスタイプおよび気／液エバポレータタイプの異なる交換器の使用および最後の反応器を出る流出物の圧力未満の圧力での気化供給原料の気化により、脱水工程ｅ）の最後の反応器からの流出物中に存在する水蒸気の最低８０％を凝縮させることが可能になる。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
補強用充填剤と、高飽和ジエンエラストマーを含むエラストマーマトリックスとをベースとし、前記高飽和エラストマーが、前記エラストマー内にランダムに分配された、下記の各単位を含むこと：
・以下のカテゴリーA、B、C、DおよびEの単位；または、
・これら同じカテゴリーA、B、C、DおよびEの単位であって、これらカテゴリーのB、C、DおよびEのうちの少なくとも１つにおいて、側基Riの性質によって互いに異なる同じカテゴリーの少なくとも２種の異なる単位の混合物を含む単位；
A)
2015535548.tif 000001
B)
2015535548.tif 000002
C)
2015535548.tif 000003
D)
2015535548.tif 000004
E)
2015535548.tif 000005
(式中、R1、R2、R3およびR4は、同一または異なるものであって、水素原子、メチル基、またはオルソ、メタまたはパラ位置においてメチル基によって置換されているまたは置換されていないフェニル基を示し、
R5は、水素原子またはメチル基を示し、
R6は、メチル基、またはオルソ、メタまたはパラ位置においてメチル基によって置換されているまたは置換されていないフェニル基を示し、
m、n、o、pおよびqは、0〜100の範囲の数である)；並びに、
前記高飽和エラストマーが、下記の特性：
2015535548.tif 000006
を有することを特徴とするゴム組成物。
【請求項２】
前記高飽和エラストマーが、非ジエンモノマーに由来する下記のカテゴリーFの単位を40%未満のモル比で含む、請求項１記載のゴム組成物：
F)
2015535548.tif 000007
(式中、φは、オルソ、メタまたはパラ位置においてメチル基によって置換されているまたは置換されていないフェニル基を示す)。
【請求項３】
前記高飽和エラストマーが、下記の特性を有する、請求項１または２記載のゴム組成物：
2015535548.tif 000008
【請求項４】
前記エラストマーマトリックスが、少なくとも40phrの高飽和ジエンエラストマーと、多くとも60phrの少なくとも１種の他のジエンエラストマーとを含む、請求項１〜３のいずれか１項記載のゴム組成物。
【請求項５】
前記補強用充填剤が、カーボンブラックを含む、請求項１〜４のいずれか１項記載のゴム組成物。
【請求項６】
前記補強用充填剤が、カーボンブラック以外に、無機補強用充填剤を含む、請求項１〜５のいずれか１項記載のゴム組成物。
【請求項７】
請求項１〜６のいずれか１項において定義したゴム組成物を含む半製品。
【請求項８】
請求項７記載の半製品を組込んでいるタイヤ。
【手続補正書】
【提出日】平成28年11月28日(2016.11.28)
【手続補正１】
【補正対象書類名】特許請求の範囲
【補正対象項目名】請求項１４
【補正方法】変更
【補正の内容】
【請求項１４】
前記少なくとも１つのキャビティは、前記クラッチ部材の１つの軸方向内側面内へ延びていることを特徴とする請求項１１記載のデファレンシャルロック装置。
【手続補正２】
【補正対象書類名】特許請求の範囲
【補正対象項目名】請求項１５
【補正方法】変更
【補正の内容】
【請求項１５】
前記少なくとも１つのキャビティは、前記クラッチ部材の１つの軸方向外側面内へ延びていることを特徴とする請求項１１記載のデファレンシャルロック装置。
【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
容器の壁を備える、消費財のための容器（１）であって、前記容器がブランクから形成され、
前記容器（１）は、ボックス（３）およびリッド（４）を備えたヒンジ−リッド容器であり、
前記リッド（４）の前部壁（９）は、前記ブランクのパネルから形成され、
前記リッドの前部壁（９）は、接着剤によって前記容器（１）のさらなる構成要素に固定され、
前記さらなる構成要素は、喫煙物品（２）の束を囲み、前記喫煙物品（２）と前記容器の壁の間に配置されている内側ライナーであり、
前記内側ライナーがカバーフラップ（１３）を備え、前記内側ライナーの指定された開口部をカバーし、前記カバーフラップ（１３）が前記リッドの前部壁（９）の内部に固定され、前記内側ライナーの前記カバーフラップ（１３）が、前記接着剤で前記リッドの前部壁（９）の内部に取り付けられ、
前記リッドの前部壁（９）は、流体案内要素（１６，１７，１８，３４，３５）を備え、前記流体案内要素（１６，１７，１８，３４，３５）は、前記リッドの前部壁（９）の内側に提供され、前記接着剤は、前記流体案内要素（１６，１７，１８，３４，３５）の領域に供給される、
容器。
【請求項２】
前記接着剤が、前記流体案内要素（１６，１７，１８，３４，３５）を形成する凹部内に少なくとも部分的に供給される、請求項1に記載の容器。
【請求項３】
前記流体案内要素（１６，１７，１８，３４，３５）が、筋つけによって形成された局所的凹部である、請求項1または2に記載の容器。
【請求項４】
前記少なくとも一つの容器の壁が、平行にかつ相互に隣接して配置された外側パネル（２８）および内側パネル（２９）によって少なくとも局所的に形成され、また前記流体案内要素（１６，１７，１８，３４，３５）が前記内側パネル（２９）内に形成される、請求項1〜3のいずれか1項に記載の容器。
【請求項５】
前記流体案内要素（１６，１７，１８）が線の形態である、請求項1〜4のいずれか1項に記載の容器。
【請求項６】
前記流体案内要素（１６，１７，１８）がいくつかの平行線の形態で配置されている、請求項1〜5の何れか1項に記載の容器。
【請求項７】
前記流体案内要素（３４，３５）がいくつかの局所的な非線形の窪みを含む、請求項1〜5のいずれか1項に記載の容器。
【請求項８】
以下の工程を含む、喫煙物品（２）のための容器（１）を形成するための方法：
i）リッドの前部壁（９）を形成する外側リッド前部壁パネル（２８）および内側リッド前部壁パネル（２９）を備えるブランクを提供する工程であって、前記外側リッド前部壁パネル（２８）に流体案内要素（１６，１７，１８，３４，３５）が提供される工程と、
ii）接着剤を前記流体案内要素（１６，１７，１８，３４，３５）の領域に局所的に塗布する工程と、
iii）前記接着剤によって、前記容器のさらなる構成要素を前記外側リッド前部壁パネル（２８）に取り付ける工程であって、カバーフラップ（１３）を接着剤によって前記リッドの前部壁（９）の下端の内側に固定する工程。
【請求項９】
工程i）が、前記流体案内要素（１６，１７，１８，３４，３５）を前記パネル内の凹部として形成する工程を含む、請求項8に記載の方法。
【請求項１０】
前記流体案内要素（１６，１７，１８，３４，３５）が筋つけ、筋入れ、切断またはエンボス加工により形成される、請求項8または9に記載の方法。
【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
センサー・ノードと処理サブシステムとの間における通信チャネルの通信処理能力を検出するステップであって、前記通信チャネルは、前記センサー・ノードから前記処理サブシステムへセンサー・データー・ストリームを搬送し、前記センサー・ノードは、前記処理サブシステムとは異なる場所に配置されている、ステップと、
前記検出された通信処理能力に基づいて、前記センサー・ノードと前記処理サブシステムとの間における機能の割り当てを調節するステップであって、機能の割り当てを調節することによって、前記センサー・ノードまたは前記処理サブシステムの一方がセンサー・データーに対する処理を実施するとともに前記センサー・ノードまたは前記処理サブシステムの他方が前記センサー・データーに対する前記処理を実施しないようにさせ、それにより、前記センサー・データー・ストリームにおいて伝達される前記センサー・データーの特性を変化させる、ステップと、
を含む方法。
【請求項２】
機能の割り当てを調節する前記ステップの前に前記センサー・データー・ストリームにおいて前記センサー・ノードと前記処理サブシステムとの間で伝達される前記センサー・データーの特性と、機能の割り当てを調節する前記ステップの後に前記センサー・データー・ストリームにおいて前記センサー・ノードと前記処理サブシステムとの間で伝達される前記データーの特性は、前記センサー・ノードと前記処理サブシステムとの間において前記センサー・データーを伝達するのに使用される通信帯域幅が異なる、請求項１に記載の方法。
【請求項３】
機能の割り当てを調節する前記ステップの前に前記センサー・データー・ストリームにおいて前記センサー・ノードと前記処理サブシステムとの間で伝達される前記センサー・データーの特性と、機能の割り当てを調節する前記ステップの後に前記センサー・データー・ストリームにおいて前記センサー・ノードと前記処理サブシステムとの間で伝達される前記データーの特性は、前記センサー・ノードと前記処理サブシステムとの間において伝達される前記センサー・データーに適用される暗号化のレベルが異なる、請求項１に記載の方法。
【請求項４】
実行されると動作を実施するようにコンピューターを構成するコンピューター実行可能命令をエンコードしたコンピューター・メモリーであって、前記動作は、
センサー・ノードと処理サブシステムとの間における通信チャネルの通信処理能力を検出するステップであって、前記通信チャネルは、第１の場所に配置された前記センサー・ノードおよび第２の場所に配置された前記処理サブシステムからセンサー・データー・ストリームを搬送する、ステップと、
前記検出された通信処理能力に基づいて、前記センサー・ノードと前記処理サブシステムとの間におけるプリプロセッサー・ブロックによって提供される機能の割り当てを調節するステップであって、機能の割り当てを調節することによって、前記センサー・ノードまたは前記処理サブシステムの一方がセンサー・データーに対する処理を実施するとともに前記センサー・ノードまたは前記処理サブシステムの他方が前記センサー・データーに対する前記処理を実施しないようにさせ、それにより、前記センサー・データー・ストリームにおいて伝達される前記センサー・データーの特性を変化させる、ステップと、
を含む、コンピューター・メモリー。
【請求項５】
１または複数のメモリーと、
前記１または複数のメモリーに結合された１または複数のプロセッサーと、
前記１または複数のメモリーに格納され前記１または複数のプロセッサー上で動作可能な１または複数のモジュールと、
を備えるシステムであって、
前記１または複数のモジュールは、
センサー・ノードと処理サブシステムとの間における通信チャネルの通信処理能力を検出するように構成された通信インターフェース・モジュールであって、前記通信チャネルは、センサー・データー・ストリームを搬送する、通信インターフェース・モジュールと、
前記検出された通信処理能力に基づいて、前記センサー・ノードと前記処理サブシステムとの間における機能の割り当てを調節するように構成された分割コントローラー・モジュールであって、機能の割り当てを調節することによって、前記センサー・ノードまたは前記処理サブシステムの一方がセンサー・データーに対する処理を実施するとともに前記センサー・ノードまたは前記処理サブシステムの他方が前記センサー・データーに対する前記処理を実施しないようにさせ、それにより、前記センサー・データー・ストリームにおいて伝達される前記センサー・データーの特性を変化させる、分割コントローラー・モジュールと、
を備える、システム。
【請求項６】
機能の割り当てを調節する前記ステップの前における前記センサー・データー・ストリーム内のデーターの特性と、機能の割り当てを調節する前記ステップの後における前記センサー・データー・ストリーム内の前記センサー・データーの特性は、前記センサー・ノードまたは前記処理サブシステムによって前記センサー・データーに対して実施される前処理の量が異なる、請求項５に記載のシステム。
【請求項７】
前記処理サブシステムおよび前記センサー・ノードは各々、重複プリプロセッサー機能を実施する能力を有する１または複数のプリプロセッサー・ブロックを含む、請求項５に記載のシステム。
【請求項８】
前記分割コントローラー・モジュールは、前記センサー・ノードまたは前記処理サブシステムの少なくとも一方の１または複数のプリプロセッサー・ブロックが通信チャネル帯域幅の変化に対処するのを有効にすることによって、機能の割り当てを調節するように構成される、請求項５に記載のシステム。
【請求項９】
前記分割コントローラー・モジュールは、前記センサー・ノードまたは前記処理サブシステムの少なくとも一方の１または複数のプリプロセッサー・ブロックが通信チャネル帯域幅の変化に対処するのを無効にすることによって、機能の割り当てを調節するように構成される、請求項５に記載のシステム。
【請求項１０】
前記分割コントローラー・モジュールは、前記センサー・ノードまたは前記処理サブシステムの一方のプリプロセッサー・ブロックを有効にし、前記センサー・ノードまたは前記処理サブシステムの他方における対応するプリプロセッサー・ブロックを無効にすることによって、機能の割り当てを調節するように構成される、請求項５に記載のシステム。
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
バイオ医薬および生物学的巨大分子プロダクトを含有するプロダクトストリームの連続的限外ろ過のためのユニットであって、少なくとも１つのキャピラリー限外ろ過モジュールを含むユニットにおいて、
−少なくとも１つのポンプが、前記プロダクトストリームを前記限外ろ過モジュールのキャピラリー内に運搬し、
−容積ポンプが、前記プロダクトストリームを前記キャピラリーから運搬し、
−少なくとも１つのさらなるポンプが、洗浄流体を前記キャピラリーの外側を通過させ、
−前記ユニットが、前記プロダクトストリームおよび前記洗浄流体を前記限外ろ過モジュール内へ循環させる手段を含まない、
ことを特徴とするユニット。
【請求項２】
連続的限外ろ過のためのユニットにおける、バイオ医薬および生物学的巨大分子プロダクトを含有するフィードストリームの連続的限外ろ過のための方法において、前記フィードストリームは、キャピラリー限外ろ過モジュールの少なくとも１つのキャピラリー限外ろ過膜を介して洗浄流体で洗浄され、前記フィードストリームはキャピラリー内に運搬されて前記洗浄流体は前記キャピラリーの外側にわたって運搬され、前記フィードストリームおよび前記洗浄流体は、前記限外ろ過モジュール内に連続的に供給され、かつ前記限外ろ過モジュールから連続的に除去され、前記フィードストリームおよび前記洗浄流体は、前記限外ろ過モジュール内に循環されず、前記プロダクトストリームの除去は、所望されない純流動が前記キャピラリー内部から前記キャピラリー外部へまたは前記外部から前記内部へ通過できないように制御される、ことを特徴とする方法。
【請求項３】
請求項１に記載のバイオ医薬および生物学的巨大分子プロダクトを含有するプロダクトストリームの連続的限外ろ過のための少なくとも１つのユニットを含む製造プラント。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
タンニン酸シタグリプチン複合体。
【請求項２】
シタグリプチン含量が約２５重量％から約７５重量％である、請求項１に記載のタンニン酸シタグリプチン複合体。
【請求項３】
シタグリプチン含量が約２９重量％から３３重量％である、請求項２に記載のタンニン酸シタグリプチン複合体。
【請求項４】
タンニン酸に対するシタグリプチンの重量比が約３：１から約１：４である、請求項１に記載のタンニン酸シタグリプチン複合体。
【請求項５】
重量比が約１：２である、請求項４に記載のタンニン酸シタグリプチン複合体。
【請求項６】
治療的有効量の請求項１に記載のタンニン酸シタグリプチン複合体と不活性担体とを含む、医薬組成物。
【請求項７】
治療的有効量の付加的な薬学的活性成分をさらに含む、請求項６に記載の医薬組成物。
【請求項８】
治療的有効量の請求項１に記載のタンニン酸シタグリプチン複合体、薬学的に許容されるポリマーを含み、１または複数のポリオール、高強度甘味料、香味料を含んでもよい、医薬中間体。
【請求項９】
請求項８に記載の医薬中間体を含む、経口剤形。
【請求項１０】
錠剤、カプセル、ペレットまたは散剤の形態である、請求項９に記載の経口剤形。
【請求項１１】
ソフトチュー（ｓｏｆｔ  ｃｈｅｗ）、薬用ガム、チュアブル錠、崩壊錠、シロップ、サッシェ（ｓａｃｈｅｔ）、経口フィルム、ゲルまたはリオスフェア（ｌｙｏｓｐｈｅｒｅ）の形態である、請求項９に記載の経口剤形。
【請求項１２】
口内ではごくわずかな放出をし、且つ、胃内では即時放出をする、請求項９に記載の経口剤形。
【請求項１３】
ソフトチュー、薬用ガム、経口フィルム、崩壊錠またはシロップである、請求項１２に記載の経口剤形。
【請求項１４】
請求項１に記載のタンニン酸シタグリプチン複合体を含む、ＤＰＰ−ＩＶの阻害剤が適応される１または複数の疾患を処置、管理または予防するための医薬組成物。
【請求項１５】
前記疾患が、２型糖尿病、肥満または血圧である、請求項１４に記載の医薬組成物。
【手続補正書】
【提出日】平成29年10月24日(2017.10.24)
【手続補正１】
【補正対象書類名】特許請求の範囲
【補正対象項目名】全文
【補正方法】変更
【補正の内容】
【特許請求の範囲】
【請求項１】
電子装置に配設された１つ以上のプロセッサに、セルラー音声アクセスネットワークとＶｏＩＰ（Ｖｏｉｃｅ  ｏｖｅｒ  Ｉｎｔｅｒｎｅｔ  Ｐｒｏｔｏｃｏｌ）コアネットワークとを有するハイブリッド電気通信ネットワークにおいてマルチパーティ呼制御を実施する動作を実行させるコンピュータプログラムであって、前記動作は、
モバイル装置のユーザと第１のリモートの相手とにおける第１の呼において、前記第１のリモートの相手に対して接続をすることであって、前記モバイル装置は元の呼セッションにおいて前記セルラー音声アクセスネットワークを通して前記ハイブリッド電気通信ネットワークにアクセスする、ことと、
前記セルラー音声アクセスネットワークから第１の新しい呼セッションの要求を受信して、第２のリモートの相手に対して第２の呼のための接続をすることであって、前記要求は前記第２のリモートの相手の発信者ＩＤを含み、前記セルラー音声アクセスネットワークは、前記要求をするときに前記第１の呼を保留にする、ことと、
前記第１の新しい呼セッションを解放することであって、前記セルラー音声アクセスネットワークは前記第１の呼を保留解除し、前記元の呼セッションを復元する、ことと、
前記元の呼セッションを用いて、前記第１の呼を保留にし、前記第２のリモートの相手に対して前記第２の呼のための接続をすることであって、単一の呼セッションが前記セルラー音声アクセスネットワークにおいて実施され、前記第２のリモートの相手からのオーディオが前記単一の呼セッションを通じて前記モバイル装置に流れる、ことと、
を含む、コンピュータプログラム。
【請求項２】
前記動作は、
前記ＶｏＩＰコアネットワークにおける２つのレッグの呼ステートを保持することであって、前記レッグのうち一方は前記第１のリモートの相手に対する接続を含み、前記レッグのうち他方は前記第２のリモートの相手に対する接続を含む、こと、
をさらに含む、請求項１に記載のコンピュータプログラム。
【請求項３】
前記動作は、
前記セルラー音声アクセスネットワークから第２の新しい呼セッションのための第２の要求を受信することであって、前記第２の要求は、指定された呼び出される相手番号を識別する発信者ＩＤを含む、こと、
をさらに含む、請求項２に記載のコンピュータプログラム。
【請求項４】
前記指定された呼び出される相手番号は、前記セルラー音声アクセスネットワークによって前記ＶｏＩＰコアネットワークに関連付けられる、請求項３に記載のコンピュータプログラム。
【請求項５】
前記動作は、
前記指定された呼び出される相手番号を前記モバイル装置からの呼制御信号として解釈すること、
をさらに含む、請求項３に記載のコンピュータプログラム。
【請求項６】
前記動作は、
前記呼制御信号を前記モバイル装置のユーザからのブリッジング命令として使用すること、又は、
前記呼制御信号をフラッシュ信号として解釈すること、
をさらに含む、請求項５に記載のコンピュータプログラム。
【請求項７】
エンコードされた呼制御信号が、前記セルラー音声アクセスネットワークを通して透過的に渡される、請求項５に記載のコンピュータプログラム。
【請求項８】
前記動作は、
前記元の呼セッション上で前記第１のリモートの相手に対する接続を前記第２のリモートの相手に対する接続にブリッジして、これにより三者間の呼を確立すること、
をさらに含む、請求項１に記載のコンピュータプログラム。
【請求項９】
前記第１の新しい呼セッションは、前記発信者ＩＤが前記ＶｏＩＰコアネットワークにより読み出された後、解放される、請求項１に記載のコンピュータプログラム。
【請求項１０】
セルラー音声アクセスネットワークとＶｏＩＰ（Ｖｏｉｃｅ  ｏｖｅｒ  Ｉｎｔｅｒｎｅｔ  Ｐｒｏｔｏｃｏｌ）コアネットワークとを有するハイブリッド電気通信ネットワークにおいてマルチパーティ呼制御を実施する方法であって、
モバイル装置のユーザと第１のリモートの相手とにおける第１の呼において、前記第１のリモートの相手に対して接続をすることであって、前記モバイル装置は元の呼セッションにおいて前記セルラー音声アクセスネットワークを通して前記ハイブリッド電気通信ネットワークにアクセスする、ことと、
前記セルラー音声アクセスネットワークから第１の新しい呼セッションの要求を受信して、第２のリモートの相手に対して第２の呼のための接続をすることであって、前記要求は前記第２のリモートの相手の発信者ＩＤを含み、前記セルラー音声アクセスネットワークは、前記要求をするときに前記第１の呼を保留にする、ことと、
前記第１の新しい呼セッションを解放することであって、前記セルラー音声アクセスネットワークは前記第１の呼を保留解除し、前記元の呼セッションを復元する、ことと、
前記元の呼セッションを用いて、前記第１の呼を保留にし、前記第２のリモートの相手に対して前記第２の呼のための接続をすることであって、単一の呼セッションが前記セルラー音声アクセスネットワークにおいて実施され、前記第２のリモートの相手からのオーディオが前記単一の呼セッションを通じて前記モバイル装置に流れる、ことと、
を含む方法。
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
電気機器との直流の電力の送受のためのアセンブリであって、
少なくとも１つのグリッド要素（１０９）を有するグリッド構造と、
前記少なくとも１つのグリッド要素（１０９）上にある、当該グリッド要素（１０９）に沿って延びている一対の直流導電体（１０８，１０８’）と、
前記少なくとも１つのグリッド要素（１０９）に取り付けられたグリッドコネクタ（１２０）と、
前記グリッドコネクタ（１２０）に取り付けられ、当該グリッドコネクタ（１２０）から離れるように延びている支持材（１４０）と、
前記グリッドコネクタ（１２０）の上方で前記支持材（１４０）に取り付けられた直流コネクタ（１４２）とを備え、
前記グリッドコネクタ（１２０）が、前記少なくとも１つのグリッド要素（１０９）上にある前記直流導電体（１０８，１０８’）に対して電気的に接触するための一対の端子（１２２，１２２’）と、前記端子（１２２，１２２’）に接続されて当該端子（１２２，１２２’）から離れるように延びている一対の電線（１３４，１３４）とを有し、
前記直流コネクタ（１４２）が、前記電線（１３４，１３４）に接続されて、直流電源ケーブル（１４８）の一端に在る直流電源コネクタ（１４６）に電気的に接続されるように構成され、前記直流電源ケーブル（１４８）の他端が、前記電気機器に接続される
ことを特徴とするアセンブリ。
【請求項２】
前記グリッド構造は、略水平なフレームワーク平面に位置し、前記支持材（１４０）は、前記フレームワーク平面に対して略垂直に延びる略平面的な板であり、前記直流コネクタ（１４２）は、前記板に取り付けられている
ことを特徴とする請求項１に記載のアセンブリ。
【請求項３】
前記グリッド構造は、略水平なフレームワーク平面に位置し、前記支持材（１４０）は、前記フレームワーク平面に対して略垂直に延びる略平面的な直立支持部および前記フレームワーク平面に対して略平行に延びる略平面的な上部支持部（１５０）を含み、前記直流コネクタ（１４２）は、前記上部支持部（１５０）に取り付けられている
ことを特徴とする請求項１に記載のアセンブリ。
【請求項４】
前記直流コネクタ（１４２）は、ユニバーサルシリアルバス（ＵＳＢ）コネクタである
ことを特徴とする請求項１に記載のアセンブリ。
【請求項５】
前記直流電源ケーブル（１４８）は、前記電気機器から前記少なくとも１つのグリッド要素（１０９）上にある前記一対の導電体（１０８，１０８’）へ前記電力を伝送するように構成されている
ことを特徴とする請求項１に記載のアセンブリ。
【請求項６】
前記直流電源ケーブル（１４８）は、前記少なくとも１つのグリッド要素（１０９）上にある前記一対の導電体（１０８，１０８’）から前記電気機器へ前記電力を伝送するように構成されている
ことを特徴とする請求項１に記載のアセンブリ。
【請求項７】
前記直流コネクタ（１４２）での直流電圧を調整するための、前記支持材（１４０）に取り付けられている直流電圧レギュレータ（１５２）をさらに備える
ことを特徴とする請求項１に記載のアセンブリ。
【請求項８】
前記直流コネクタ（１４２）と隣り合うように前記支持材（１４０）に取り付けられている他の直流コネクタ（１４４）をさらに備える
ことを特徴とする請求項１に記載のアセンブリ。
【手続補正書】
【提出日】平成29年11月13日(2017.11.13)
【手続補正１】
【補正対象書類名】特許請求の範囲
【補正対象項目名】全文
【補正方法】変更
【補正の内容】
【特許請求の範囲】
【請求項１】
電動歯ブラシであって、
近位端で開口する細長いハウジングと、
前記ハウジング内に配置されるフレームと、
再充電可能なバッテリと、
前記バッテリと電気的につながる制御回路と、
充電コイルボビンであって、２つの端部を有し且つ前記充電コイルボビンの遠位端にわたって前記遠位端から間隔を空けて配置されるブリッジバネを有する前記ハウジングの前記近位端に配置される充電コイルボビンと、を有し、
前記ハウジング及び前記充電コイルボビンは、前記ハウジングの前記近位端の近くの内部表面にあるスロット又はタブと、前記充電コイルボビンに配置された対応するタブ又はスロットとによって固定的にかみ合わされ、
前記充電コイルボビン及び前記ブリッジバネは、更に、前記フレームと弾性接触して配置され、且つ
前記ブリッジバネは、前記細長いハウジングの遠位端から生じた軸方向の衝撃を吸収するようにサイズが決められている、
電動歯ブラシ。
【請求項２】
前記タブ又は前記スロットは、前記ブリッジバネの撓みに応じて前記ハウジングの前記内部表面に向かって変位するように配置されている、
請求項１の電動歯ブラシ。
【請求項３】
対応する前記タブ又は前記スロットは、前記充電コイルボビンの前記遠位端が前記ハウジングの前記近位端に挿入されたときに、前記ハウジングにおける前記スロット又は前記タブとのスライド可能な係合を可能にする折り重ねられた構成で配置されている、
請求項１の電動歯ブラシ。
【請求項４】
前記充電コイルボビンは、前記充電コイルボビンの近位端に配置されたコイル巻き面を更に有する、
請求項１の電動歯ブラシ。
【請求項５】
前記充電コイルボビンは、フレーム接続スロットを更に有し、
前記フレームは、ボビン接続タブを更に有し、
前記充電コイルボビンが前記フレームと弾性接触して配置されるときに、前記ボビン接続タブは、前記フレーム接続スロットとかみ合う、
請求項１の電動歯ブラシ。
【請求項６】
前記フレーム接続スロットと前記ボビン接続タブは、ブリッジバネによって係合して保持され、且つ、
前記ブリッジバネは、更に、前記フレームと前記ハウジングの間の公差緩和を柔軟に変えることができるようにされている、
請求項５の電動歯ブラシ。
【請求項７】
電動歯ブラシ用の一体型充電コイルボビンであって、
中心軸を有するボビンボディ、
前記ボビンボディの近位端に配置されたコイル巻き面、
第１ハウジング接続タブ及び第２ハウジング接続タブ、並びに、
第１端及び第２端を有するブリッジバネ、を有し、
前記ブリッジバネは、前記ボビンボディの遠位端から間隔を空けて且つ前記中心軸を横切るように配置され、
前記ブリッジバネは、細長いハウジングの遠位端から生じた軸方向の衝撃を吸収するようにサイズが決められている、
一体型充電コイルボビン。
【請求項８】
前記ブリッジバネの前記第１端及び前記第２端のそれぞれと前記ボビンボディとの間に配置される第１ハウジング接続アーム及び第２ハウジング接続アームを更に有する、
請求項７の一体型充電コイルボビン。
【請求項９】
前記第１ハウジング接続アーム及び前記第２ハウジング接続アームは、前記ボビンボディから間隔を空けて前記中心軸にほぼ平行に配置される、
請求項８の一体型充電コイルボビン。
【請求項１０】
前記ボビンボディの前記遠位端に配置されたフレーム接続スロットを更に有する、
請求項７の一体型充電コイルボビン。
【請求項１１】
各ハウジング接続タブは、前記ブリッジバネの各端にそれぞれ配置され、且つ、前記ボビンボディの前記近位端に向かって折り重ねられた構成で配置される、
請求項７の一体型充電コイルボビン。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
吸着剤カートリッジであって、
吸着剤カートリッジを形成する少なくとも１つの再利用可能なモジュールおよび少なくとも第２のモジュールを備え、前記少なくとも１つの再利用可能なモジュールが、洗浄ライン、および任意で洗浄ライン、バイパスライン、流体ラインまたは第２のモジュールのうちのいずれか１つに流体接続可能な１つ以上のコネクタを有し、
前記洗浄ラインが、再充填器に流体接続可能であり、
前記バイパスラインが、別のモジュールに任意に流体接続可能であり、
前記流体ラインが、透析回路の任意の部分に任意に流体接続可能であり、
前記少なくとも１つの再利用可能なモジュールが、任意で、１つ以上のコネクタを有する取り外し可能な再利用モジュールであり、
前記少なくとも１つの再利用可能なモジュールが、任意で、リン酸ジルコニウム、含水酸化ジルコニウム、活性炭、アルミナ、ウレアーゼおよびイオン交換樹脂を含む群から選択される１つ以上の吸着材料を含み、
前記吸着剤カートリッジが、任意で、少なくとも１つのモジュール、洗浄ライン、再充填器、またはバイパスラインを通る流れを選択的に方向付けるように前記コネクタ上で前記モジュールの前および／または後に位置付けられる少なくとも１つの弁を備える、前記吸着剤カートリッジ。
【請求項２】
前記再利用可能なモジュールが、再充填器に流体接続可能であることによってオフライン状態にあるように構成される、または前記再利用可能なモジュールが、前記流体ラインもしくは前記バイパスラインのうちのいずれか一方に流体接続可能であることによってインライン状態にあるように構成される、請求項１に記載の前記吸着剤カートリッジ。
【請求項３】
前記コネクタが、センサに対するアクセスポイントを含む、請求項１に記載の前記吸着剤カートリッジ。
【請求項４】
流体回路であって、
１つ以上のコネクタによって直列に接続される少なくとも２つのモジュールと、
前記コネクタに沿った前記モジュールを通る流れを方向付ける動作可能なラインと、
１つ以上のコネクタを再充填器に流体接続する洗浄ラインと、
前記モジュールおよび動作可能なラインをバイパスするためのバイパスラインと、を備え、
前記バイパスラインが、任意で、少なくとも１つの吸着材料と流体連通している、前記流体回路。
【請求項５】
吸着剤を再充填する方法であって、
少なくとも１つの再利用可能なモジュールおよび第２のモジュールを１つ以上のコネクタで直列に接続する、または前記少なくとも１つの再利用可能なモジュールおよび前記第２のモジュールを直接接続するステップと、
少なくとも１つのコネクタを、再充填器に流体接続される少なくとも１つの洗浄ラインに流体接続するステップと、
少なくとも１つのコネクタを、前記コネクタからの流れを逸らして少なくとも１つのモジュールをバイパスするバイパスラインに流体接続するステップと、
前記モジュール、洗浄ラインおよび／またはバイパスライン間の接合部で１つ以上の弁を前記コネクタに接続するステップと、
前記弁を選択的に開放および閉鎖して、前記コネクタ、モジュール、洗浄ライン、および／またはバイパスラインを通る流れを方向付けるステップと、を含む前記方法。
【請求項６】
第１のモジュール、第２のモジュール、および第３のモジュールが直列に接続され、前記第１のモジュールが、流体が前記第１のモジュール内に方向付けられ得るように、第１の組の１つ以上のコネクタ上で前記第１のモジュールの前に位置付けられる第１の組の１つ以上の弁に流体接続される、請求項１に記載の前記吸着剤カートリッジ。
【請求項７】
流体が前記第１のモジュールをバイパスすることができるように、バイパスラインが前記第１の組の１つ以上の弁に流体接続され、流体が第１の再充填器から前記第１のモジュールに方向付けられ得るように、前記第１の再充填器が前記第１の組の１つ以上の弁に流体接続され、流体が前記第１のモジュールから前記第２のモジュール内に方向付けられ得るように、前記第１のモジュールが第２の組の１つ以上のコネクタ上で前記第１のモジュールの後かつ前記第２のモジュールの前に位置付けられる第２の組の１つ以上の弁に流体接続され、流体が前記第１のモジュールから前記第１の再充填器に方向付けられ得るように、前記第１の再充填器が前記第２の組の１つ以上の弁に接続され、流体が前記第２のモジュールをバイパスすることができるように、前記バイパスラインが前記第２の組の１つ以上の弁に流体接続され、流体が第２の再充填器から前記第２のモジュールに方向付けられ得るように、前記第２の再充填器が前記第２の組の１つ以上の弁に流体接続され、流体が前記第２のモジュールから前記第３のモジュール内に方向付けられ得るように、前記第２のモジュールが第３の組の１つ以上のコネクタ上で前記第２のモジュールの後かつ前記第３のモジュールの前に位置付けられる第３の組の１つ以上の弁に流体接続され、前記第２のモジュールからの流体が前記第２の再充填器に方向付けられ得るように、前記第２の再充填器が前記第３の組の１つ以上の弁に流体接続され、流体が前記第３のモジュールをバイパスすることができるように、前記バイパスラインが前記第３の組の１つ以上の弁に流体接続され、流体が第３の再充填器から前記第３のモジュールに方向付けられ得るように、前記第３の再充填器が前記第３の組の１つ以上の弁に流体接続され、前記第３のモジュールが、第４の組の１つ以上のコネクタに流体接続され、流体が前記第３のモジュールから前記第３の再充填器に方向付けられ得るように、前記第３の再充填器が前記第４の組の１つ以上のコネクタに流体接続される、請求項６に記載の前記吸着剤カートリッジ。
【請求項８】
前記第１のモジュールが、ウレアーゼを含み、前記第２のモジュールが、リン酸ジルコニウムを含み、前記第３のモジュールが、含水酸化ジルコニウムを含み、前記第１のモジュールが、任意で、活性炭をさらに含む、請求項６に記載の前記吸着剤カートリッジ。
【請求項９】
前記第１のモジュールが、活性炭の第１の層と、前記第１の層の下流のウレアーゼの第２の層と、前記第２の層の下流の活性炭の第３の層と、を含む、請求項８に記載の前記吸着剤カートリッジ。
【請求項１０】
前記再利用可能なモジュールおよび前記第２のモジュールが、直接接続可能である、請求項１に記載の前記吸着剤カートリッジ。
【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
第１の面及び第２の面を含むバリア層と、
該バリア層の前記第１の面上に配置された少なくとも１つの層と、
前記バリア層の前記第２の面上に配置された少なくとも１つの層と
を備え、
前記バリア層の前記第１の面上に配置された前記少なくとも１つの層の一体の厚さは、前記バリア層の前記第２の面上に配置された前記少なくとも１つの層の一体の厚さよりも少なくとも２倍大きい、オストミーパウチ用の非対称多層フィルム。
【請求項２】
前記バリア層の前記第１の面上に配置された前記少なくとも１つの層はシール層及び束縛層を含み、前記バリア層の前記第２の面上に配置された前記少なくとも１つの層は外側層を含む、請求項１に記載の非対称多層フィルム。
【請求項３】
前記バリア層の前記第１の面上に配置された前記少なくとも１つの層は約２０μｍから約４０μｍの前記一体の厚さを有し、前記バリア層の前記第２の面上に配置された前記少なくとも１つの層は約２μｍから約１０μｍの前記一体の厚さを有する、請求項１に記載の非対称多層フィルム。
【請求項４】
シール層／内側層／束縛層／バリア層／外側層の構成を有する、請求項２に記載の非対称多層フィルム。
【請求項５】
前記シール層は約５μｍから約３０μｍの厚さを有し、前記内側層は約０μｍから約２５μｍの厚さを有し、前記束縛層は約２μｍから約８μｍの厚さを有し、前記バリア層は約２μｍから約１０μｍの厚さを有し、前記外側層は約２μｍから約１０μｍの厚さを有する、請求項４に記載の非対称多層フィルム。
【請求項６】
前記シール層は、エチレンビニルアセテート共重合体（ＥＶＡ）及びエチレン−プロピレン共重合体（ＥＰ共重合体）を備える混合物から形成され、前記内側層は、ＥＰ共重合体及びポリプロピレン／エチレン−プロピレンゴム（ＰＰ−ＥＰゴム）を備える混合物から形成され、前記束縛層は、マレイン酸化エチレン−アクリル酸メチル共重合体（ＥＭＡ−ＭＡＨ）から形成され、前記バリア層は、アモルファスポリアミド及び官能基修飾したゴム配合物を備える混合物から形成され、前記外側層は、ＥＭＡ−ＭＡＨから形成されている、請求項４に記載の非対称多層フィルム。
【請求項７】
前記シール層は約１４μｍの厚さを有し、前記内側層は約１４μｍの厚さを有し、前記束縛層は約４μｍの厚さを有し、前記バリア層は約４μｍの厚さを有し、前記外側層は約４μｍの厚さを有する、請求項４に記載の非対称多層フィルム。
【請求項８】
前記シール層は約１３μｍの厚さを有し、前記内側層は約９μｍの厚さを有し、前記束縛層は約３μｍの厚さを有し、前記バリア層は約４μｍの厚さを有し、前記外側層は約３μｍの厚さを有する、請求項４に記載の非対称多層フィルム。
【請求項９】
約２５μｍから約５０μｍの厚さを有する、請求項１に記載の非対称多層フィルム。
【請求項１０】
シール層／束縛層／バリア層／外側層の構成を有する４層フィルムである、請求項２に記載の非対称多層フィルム。
【請求項１１】
前記シール層は、ＥＶＡ、エチレン−アクリル酸メチル共重合体（ＥＭＡ）、エチレン−アルファオレフィン共重合体、オレフィンブロック共重合体（ＯＢＣ）、又はエチレン−プロピレン（ＥＰ）共重合体を含み、前記束縛層及び前記外側層はそれぞれ、マレイン酸化ポリオレフィンから形成され、前記バリア層は、アモルファスポリアミド、無水変性オレフィン系重合体又は共重合体、又はエポキシ変性オレフィン系重合体又は共重合体から形成されている、請求項２に記載の非対称多層フィルム。
【請求項１２】
前記内側層は、ＥＶＡ、ＥＭＡ、エチレンオレフィン共重合体、ＯＢＣ、又はＥＰ共重合体を含む、請求項４に記載の非対称多層フィルム。
【請求項１３】
前記非対称多層フィルムの少なくとも１つの層はビニル結合リッチなトリブロック共重合体を含む、請求項１に記載の非対称多層フィルム。
【請求項１４】
第１の壁と、
第２の壁と
を備えるオストミーパウチであって、
前記第１の壁及び前記第２の壁は、それらの周縁に沿ってシールされてキャビティを画定し、
前記第１の壁及び前記第２の壁の少なくとも一方は、請求項１〜１３のいずれか一項に記載の非対称多層フィルムから形成される、オストミーパウチ。
【請求項１５】
前記第１の壁及び前記第２の壁の少なくとも一方に接着された不織布層をさらに備え、前記非対称多層フィルムの前記外側層と前記不織布層との間に接着層が配置されている、請求項１４に記載のオストミーパウチ。
【請求項１６】
前記接着層は、ビニル結合リッチなトリブロック共重合体を含む吸音接着剤から形成されている、請求項１５に記載のオストミーパウチ。